(57)【要約】      （修正有）【課題】安全性が高い電子安定器を提供する。【解決手段】キャパシタＣＯ２の電圧が蛍光ランプ２００に電気的に接続されたときのノーマル点灯電圧よりも高くなると、第２分圧モジュール６のキャパシタＣＯ２の両端の電圧が第２制御素子の電位しきい値よりも高くなる。これにより、第１切替素子Ｑ０３の制御端が第２切替素子Ｑ０３Ａを介して接地する。したがって、電源電圧ＶＣＣにより、蓄電素子ＣＯ５を充電する。蓄電素子ＣＯ５の電圧で第３制御素子Ｄ０１が駆動され、保護ユニット４１がトリガされる。従って、点灯モジュールの点灯を停止することができる。【選択図】図１
0003159650.tif 000002
【実用新案登録請求の範囲】
【請求項１】
蛍光ランプの両端に電気的に接続され、前記蛍光ランプを駆動して点灯させるための電子安定器において、
前記蛍光ランプの両端に電気的に接続され、該蛍光ランプを点灯させる高周波電圧を生成して発振する点灯モジュールと、
トリガされると、前記点灯モジュールを作動不能にして点灯させないように作動する保護ユニットと、前記保護ユニットに電気的に接続され、駆動されて前記保護ユニットをトリガする能動ユニットとを有する保護モジュールと、
前記点灯モジュールに電気的に接続され、前記蛍光ランプの一端の電圧変化に基づいて第１電位を出力する第１分圧モジュールと、
前記点灯モジュールに電気的に接続され、前記蛍光ランプの一端の電圧変化に基づいて第２電位を出力する第２分圧モジュールと、
前記第１分圧モジュールと前記能動ユニットとの間に電気的に接続され、第１電位しきい値が設定されており、前記第１電位が前記第１電位しきい値以上であると、前記能動ユニットを作動不能にして前記保護ユニットを作動させないようにし、また、第１電位が前記第１電位しきい値以下であると、前記能動ユニットが作動して前記保護ユニットをトリガさせるように作動する第１制御モジュールと、
前記第２分圧モジュールと前記第１制御モジュールとの間に電気的に接続され、第２電位しきい値が設定されており、前記第２電位が前記第２電位しきい値以上であると、前記能動ユニットが作動して前記保護ユニットをトリガさせるように作動する第２制御モジュールと、
を備えていることを特徴とする電子安定器。
【請求項２】
前記第１制御モジュールは、
前記第１分圧モジュールに電気的に接続された第１制御素子と、
前記第１制御素子及び前記能動ユニットの間に電気的に接続された第１切替素子と、を有し、
前記第１制御素子には、前記第１電位しきい値が設定されており、
前記第１電位が前記第１電位しきい値以上であると、前記第１制御素子が前記第１分圧モジュールと前記第１切替え素子とを導通させ、前記第１切替素子がオンするように前記第１電位で駆動され、前記能動ユニットを作動不能にし、
前記第１電位が前記第１電位しきい値以下であると、前記第１分圧モジュール及び前記第１切替素子の間を遮断し、前記第１切替素子をオフにし、前記能動ユニットを駆動させて前記保護ユニットをトリガすることを特徴とする請求項１に記載の電子安定器。
【請求項３】
前記第２制御モジュールは、
前記第２分圧モジュールに電気的に接続された第２制御素子と、
前記第２制御素子に電気的に接続されると共に前記第１切替素子及び前記第１制御素子の間に電気的に接続された第２切替素子と、を有し、
前記第２制御素子には、前記第２電位しきい値が設定されており、
前記第２電位が前記第２電位しきい値以上であると、前記第２制御素子が前記第２分圧モジュールと前記第２切替素子とを導通させ、前記第２切替素子がオンにするように前記第２電位で駆動され、前記第１切替素子をオフにするように連動され、前記能動ユニットを駆動させて前記保護ユニットをトリガすることを特徴とする請求項２に記載の電子安定器。
【請求項４】
前記能動ユニットは、
電源電圧と、
該電源電圧及び前記保護ユニットの間に電気的に接続されており、トリガしきい値が設定されている第３制御素子と、
前記第３制御素子及び前記電源電圧の間に電気的に接続されており、前記能動ユニットが駆動されると、前記電源電圧により充電される蓄電素子とを有し、
前記第１切替素子は、前記電源電圧と前記第３制御素子と前記蓄電素子との間に電気的に接続され、
前記蓄電素子の電位が前記トリガしきい値以上であると、前記第３制御素子が前記蓄電素子と前記保護ユニットとを導通させ、前記蓄電素子の電位で前記保護ユニットをトリガすることを特徴とする請求項３に記載の電子安定器。
【請求項５】
前記第１制御素子は、前記第１分圧モジュール及び前記第１切替素子の間に電気的に接続されたツェナーダイオードとし、
前記第１切替素子は、第１端が前記電源電圧と前記第３制御素子と前記蓄電素子との間に接続され、第２端が接地し、制御端が前記第１電位で駆動され前記第１端と第２端とを導通させるトランジスタとすることを特徴とする請求項４に記載の電子安定器。
【請求項６】
前記第２制御素子は、前記第２分圧モジュール及び前記第２切替素子の間に電気的に接続されたツェナーダイオードとし、
前記第２切替素子は、第１端が前記電源電圧と前記第３制御素子と前記蓄電素子との間に接続され、第２端が接地し、制御端が前記第１電位で駆動されると前記第１端と第２端とを導通させるトランジスタとすることを特徴とする請求項５に記載の電子安定器。
【請求項７】
前記点灯モジュールは、それぞれ前記蛍光ランプの両端に電気的に接続されたキャパシタとインダクタンスとを有し、
前記第１分圧モジュールと前記第２分圧モジュールとは、前記キャパシタ及び前記蛍光ランプの間に電気的に接続され、前記キャパシタの電圧変化に基づいて前記第１電位と前記第２電位とを出力することを特徴とする請求項１〜３のいずれかの項に記載の電子安定器。
【請求項８】
前記点灯モジュールは、一端が前記蛍光ランプの一端に電気的に接続されたインダクタンスと、前記インダクタンスの他端に直列接続されたキャパシタとを有し、
前記第１分圧モジュールと前記第２分圧モジュールとは、前記キャパシタ及び前記インダクタンスの間に電気的に接続され、前記キャパシタの電圧を整流すると共に分圧し、前記第１電位と前記第２電位とを出力することを特徴とする請求項１〜３のいずれかの項に記載の電子安定器。
【考案の詳細な説明】
【技術分野】
【０００１】
本考案は、蛍光ランプの点灯を安定させるために用いられる電子安定器に関する。
【背景技術】
【０００２】
電子安定器の動作周波数は、２０ｋＨｚ以上であるため、安定した高周波電圧を出力させることができる。したがって、高周波にて作動する発光管の発光効率及び点灯品質は、低周波にて作動する発光管より優れる。また、点灯電圧が低いため、発光管温度が低く、発光管が黒くなることを遅らせることもでき、耐用寿命を延ばすことができる。このため、電子安定器を用いた蛍光ランプが一般化されている。
【考案の概要】
【考案が解決しようとする課題】
【０００３】
蛍光ランプを使用していくと、通常発光管の両端にあるフィラメントのうち、片側のフィラメントが先に損耗することがあり、蛍光ランプの寿命末期において両端のフィラメントの損耗程度が異なるため、これによる整流効果により、他側のフィラメントに過電流が流れて異常加熱し、ランプホルダーが溶解したり、安定器が焼損して、火災を引き起こすこともある。また、ランプホルダーに蛍光ランプが取り付けられていない時に電源を入れると、電子安定器の両端が開路状態となるため高温になってしまい、電子安定器が高温により損耗したり、寿命が短くなったりするので、安全性に欠ける。
【０００４】
本考案は、上記問題点に鑑みてなされたものであり、安全性が高い電子安定器を提供することを目的とする。
【課題を解決するための手段】
【０００５】
上記目的を達成するために、本考案は、蛍光ランプの両端に電気的に接続され、前記蛍光ランプを駆動して点灯させるための電子安定器において、前記蛍光ランプの両端に電気的に接続され、該蛍光ランプを点灯させる高周波電圧を生成して発振する点灯モジュールと、トリガされると、前記点灯モジュールを作動不能にして点灯させないように作動する保護ユニットと、前記保護ユニットに電気的に接続され、駆動されて前記保護ユニットをトリガする能動ユニットとを有する保護モジュールと、前記点灯モジュールに電気的に接続され、前記蛍光ランプの一端の電圧変化に基づいて第１電位を出力する第１分圧モジュールと、前記点灯モジュールに電気的に接続され、前記蛍光ランプの一端の電圧変化に基づいて第２電位を出力する第２分圧モジュールと、前記第１分圧モジュールと前記能動ユニットとの間に電気的に接続され、第１電位しきい値が設定されており、前記第１電位が前記第１電位しきい値以上であると、前記能動ユニットを作動不能にして前記保護ユニットを作動させないようにし、また、第１電位が前記第１電位しきい値以下であると、前記能動ユニットが作動して前記保護ユニットをトリガさせるように作動する第１制御モジュールと、前記第２分圧モジュールと前記第１制御モジュールとの間に電気的に接続され、第２電位しきい値が設定されており、前記第２電位が前記第２電位しきい値以上であると、前記能動ユニットが作動して前記保護ユニットをトリガさせるように作動する第２制御モジュールと、を備えていることを特徴とする電子安定器を提供する。
【０００６】
前記電子安定器において好ましくは、前記第１制御モジュールは、前記第１分圧モジュールに電気的に接続された第１制御素子と、前記第１制御素子及び前記能動ユニットの間に電気的に接続された第１切替素子と、を有し、前記第１制御素子には、前記第１電位しきい値が設定されており、前記第１電位が前記第１電位しきい値以上であると、前記第１制御素子が前記第１分圧モジュールと前記第１切替え素子とを導通させ、前記第１切替素子がオンするように前記第１電位で駆動され、前記能動ユニットを作動不能にし、前記第１電位が前記第１電位しきい値以下であると、前記第１分圧モジュール及び前記第１切替素子の間を遮断し、前記第１切替素子をオフにし、前記能動ユニットを駆動させて前記保護ユニットをトリガするように構成される。
【０００７】
前記電子安定器において、好ましくは、前記第２制御モジュールは、前記第２分圧モジュールに電気的に接続された第２制御素子と、前記第２制御素子に電気的に接続されると共に前記第１切替素子及び前記第１制御素子の間に電気的に接続された第２切替素子と、を有し、前記第２制御素子には、前記第２電位しきい値が設定されており、前記第２電位が前記第２電位しきい値以上であると、前記第２制御素子が前記第２分圧モジュールと前記第２切替素子とを導通させ、前記第２切替素子がオンにするように前記第２電位で駆動され、前記第１切替素子をオフにするように連動され、前記能動ユニットを駆動させて前記保護ユニットをトリガするように構成される。
【０００８】
前記電子安定器において、好ましくは、前記能動ユニットは、電源電圧と、該電源電圧及び前記保護ユニットの間に電気的に接続されており、トリガしきい値が設定されている第３制御素子と、前記第３制御素子及び前記電源電圧の間に電気的に接続されており、前記能動ユニットが駆動されると、前記電源電圧により充電される蓄電素子とを有し、前記第１切替素子は、前記電源電圧と前記第３制御素子と前記蓄電素子との間に電気的に接続され、前記蓄電素子の電位が前記トリガしきい値以上であると、前記第３制御素子が前記蓄電素子と前記保護ユニットとを導通させ、前記蓄電素子の電位で前記保護ユニットをトリガするように構成される。
【０００９】
前記電子安定器において、好ましくは、前記第１制御素子は、前記第１分圧モジュール及び前記第１切替素子の間に電気的に接続されたツェナーダイオードとし、第１切替素子は、第１端が前記電源電圧と前記第３制御素子と前記蓄電素子との間に接続され、第２端が接地し、制御端が前記第１電位で駆動され前記第１端と第２端とを導通させるトランジスタとする。
【００１０】
前記電子安定器において、好ましくは、前記第２制御素子は、前記第２分圧モジュール及び前記第２切替素子の間に電気的に接続されたツェナーダイオードとし、第２切替素子は、第１端が前記電源電圧と前記第３制御素子と前記蓄電素子との間に接続され、第２端が接地し、制御端が前記第１電位で駆動されると前記第１端と第２端とを導通させるトランジスタとする。
【００１１】
前記電子安定器において、好ましくは、前記点灯モジュールは、それぞれ前記蛍光ランプの両端に電気的に接続されたキャパシタとインダクタンスとを有し、前記第１分圧モジュールと前記第２分圧モジュールとは、前記キャパシタ及び前記蛍光ランプの間に電気的に接続され、前記キャパシタの電圧変化に基づいて前記第１電位と前記第２電位とを出力するように構成される。
【００１２】
また、前記点灯モジュールは、一端が前記蛍光ランプの一端に電気的に接続されたインダクタンスと、前記インダクタンスの他端に直列接続されたキャパシタとを有し、前記第１分圧モジュールと前記第２分圧モジュールとは、前記キャパシタ及び前記インダクタンスの間に電気的に接続され、前記キャパシタの電圧を整流すると共に分圧し、前記第１電位と前記第２電位とを出力するように構成されてもよい。
【考案の効果】
【００１３】
本考案の電子安定器によれば、蛍光ランプに整流効果が発生したとき、或いはランプホルダーに蛍光管を取り付けていないとき、電源を投入しても、点灯を停止することができるので、電子安定器を保護することができ、照明器の使用安全性を向上させることができる。
【図面の簡単な説明】
【００１４】
【図１】蛍光ランプに用いられる本考案による第１の実施の形態にかかる電子安定器の回路図である。
【図２】図１のブロック図である。
【図３】蛍光ランプに用いられる本考案による第２の実施の形態にかかる電子安定器の回路図である。
【考案を実施するための形態】
【００１５】
次に、本考案の実施の形態について添付した図面を参照して説明する。
【００１６】
［第１の実施の形態］
図１は、蛍光ランプに用いられる本考案による第１の実施の形態にかかる電子安定器の回路図、図２は、図１のブロック図である。図中、Ｖｄｃは外部電源、２００は外部電源Ｖｄｃとつなぐ照明器例えば蛍光ランプである。本考案による電子安定器は、ランプホルダーに取り付けられるものであり、外部電源Ｖｄｃと連結されると共に蛍光ランプ２００に電気的に接続されている。なお、蛍光ランプ２００は一般の蛍光灯であってよく、Ｔ８、Ｔ５或いは他の規格のランプであってもよい。
【００１７】
この形態において、電子安定器は、蛍光ランプ２００の両端に電気的に接続された点灯モジュール３と、点灯モジュール３に電気的に接続された保護モジュール４と、第１分圧モジュール５と第２分圧モジュール６と、第１分圧モジュール５及び保護モジュール４の間に電気的に接続された第１制御モジュール７と、第２分圧モジュール６及び第１制御モジュール７の間に電気的に接続された第２制御モジュール８とを、備えている。
【００１８】
点灯モジュール３は、蛍光ランプ２００を点灯させるための高周波電圧を安定して出力できるように、例えば高周波ハーフブリッジチップＩＣ０１とトランジスタＱ０１、Ｑ０２とから構成される。この形態において、点灯モジュール３は、蛍光ランプ２００の両端に電気的に接続されたキャパシタＣ０２とインダクタンスＴ０１とを有する。なお、高周波共振にて蛍光ランプ２００を点灯させる点灯モジュール３は、従来より汎用されているので、詳細な説明を省略する。
【００１９】
保護モジュール４は、点灯モジュール３に電気的に接続された保護ユニット４１と、保護ユニット４１及び第１制御モジュール７の間に電気的に接続された能動ユニット４２とを有する。保護ユニット４１は、能動ユニット４２によってトリガされると、高周波ハーフブリッジチップＩＣ０１を接地させ、高周波ハーフブリッジチップＩＣ０１のトランジスタＱ０１とＱ０２への駆動を停止し、蛍光ランプ２００の点灯を停止する。なお、保護モジュール４の構成は、従来から知られているものであり、ここでは詳細な説明を省略する。
【００２０】
能動ユニット４２は、電源電圧ＶＣＣと、第３制御素子Ｄ０１と、蓄電素子Ｃ０５と、負荷素子Ｒ０５を有する。第３制御素子Ｄ０１は、電源電圧ＶＣＣ及び保護ユニット４１の間に電気的に接続されている。蓄電素子Ｃ０５は、第３制御素子Ｄ０１及び電源電圧ＶＣＣの間に電気的に接続されていると共に、接地する。負荷素子Ｒ０５は、例えば抵抗器を用いて、電源電圧ＶＣＣ、保護ユニット４１、及び蓄電素子Ｃ０５の間に電気的に接続されている。
【００２１】
第３制御素子Ｄ０１は、カソードが保護ユニット４１に電気的に接続され、アノードが蓄電素子Ｃ０５及び電源電圧ＶＣＣの間に電気的に接続されたダイオードであり、トリガしきい値ＶD01が設定されている。この形態においては、トリガしきい値ＶD01をダイオードの順方向バイアス値とする。また、蓄電素子Ｃ０５はキャパシタである。
【００２２】
能動ユニット４２が駆動されると、電源電圧ＶＣＣにより蓄電素子Ｃ０５を充電し、そして、蓄電素子Ｃ０５の電位が第３制御素子Ｄ０１のトリガしきい値ＶD01以上になると、第３制御素子Ｄ０１により、蓄電素子Ｃ０５と保護ユニット４１とをなだれ的に導通させる。そして、保護ユニット４１は、蓄電素子Ｃ０５の電圧によりトリガされて作動し、点灯モジュール３を作動不能にする。
【００２３】
なお、蓄電素子Ｃ０５は、トリガしきい値である電位になるために、所定充電時間を経なければならない。つまり、能動ユニット４２が作動されると、蓄電素子Ｃ０５を充電し、充電時間により保護ユニット４１をトリガさせることを遅らせる。蓄電素子Ｃ０５が所定電圧になると、当該電圧で保護ユニット４１をトリガして作動させる。したがって、能動ユニット４２における負荷素子Ｒ０５及び蓄電素子Ｃ０５の大きさを変えることによって、保護ユニット４１がトリガされる遅延時間を変化させることができる。これにより、保護ユニット４１が瞬時の電気サージ由来のノイズによる干渉で誤って作動することを回避することができる。
【００２４】
第１分圧モジュール５と第２分圧モジュール６とは、点灯モジュール３のキャパシタＣ０２に並列に接続されている。第１分圧モジュール５は、キャパシタＣ０２の電圧変化に基づいて第１電位ＶC03を生成し、第１制御モジュール７へ出力する。第２分圧モジュール６は、キャパシタＣ０２の電圧変化に基づいて第２電位ＶC03Aを生成し、第２制御モジュール８へ出力する
【００２５】
第１制御モジュール７は、第１分圧モジュール５に電気的に接続された第１制御素子Ｚ０１と、第１制御素子Ｚ０１及び能動ユニット４２の間に電気的に接続された第１切替素子Ｑ０３とを有する。この形態において、第１制御素子Ｚ０１として、カソードが第１分圧モジュール５のキャパシタＣ０３に電気的に接続され、アノードが第１切替素子Ｑ０３に電気的に接続されたツェナーダイオードを用い、第１電位しきい値ＶZ01が設定されている。なお、この第１電位しきい値ＶZ01とは、ツェナーダイオードの逆方向バイアス値である。第１切替素子Ｑ０３は、第１端が電源電圧ＶＣＣと第３制御素子Ｄ０１と蓄電素子Ｃ０５との間に接続され、第２端が接地し、制御端が第１制御素子Ｚ０１に電気的に接続され、第１電位で駆動されると第１端と第２端とを導通させるトランジスタとする。なお、この形態において、第１切替素子Ｑ０３としてＢＪＴトランジスタを用いる。
【００２６】
第２制御モジュール８は、第２分圧モジュール６に電気的に接続された第２制御素子Ｚ０１Ａと、第２制御素子Ｚ０１Ａ及び第１切替素子Ｑ０３の間に電気的に接続された第２切替素子Ｑ０３Ａとを有する。この形態において、第２制御素子Ｚ０１Ａとして、カソードが第２分圧モジュール６のキャパシタＣ０３Ａに電気的に接続され、アノードが第２切替素子Ｑ０３に電気的に接続されたツェナーダイオードを用い、第２電位しきい値ＶZ01Aが設定されている。なお、この第２電位しきい値ＶZ01Aとは、ツェナーダイオードの逆方向バイアス値である。第２切替素子Ｑ０３Ａは、第１端が第１切替素子Ｑ０３の制御端と第１制御素子Ｚ０１のアノードとの間に電気的に接続され、第２端が接地し、制御端が第２制御素子Ｚ０１Ａに電気的に接続され、第２電位で駆動されると第１端と第２端とを導通させるトランジスタとする。なお、この形態において、第２切替素子Ｑ０３ＡとしてＢＪＴトランジスタを用いる。
【００２７】
以上のように構成された電子安定器を取り付けた蛍光ランプ２００に電源Ｖｄｃを入れ、電子安定器が作動したとき、通常点灯時のキャパシタＣ０２の電圧ＶC02の値はほぼ電源Ｖｄｃの電圧値の二分の一であるが、蛍光ランプ２００が損傷を受け整流効果が発生したとき、キャパシタＣ０２の電圧ＶC02の値が上がったり下がったりして大きく変動する。キャパシタＣ０２に並列に接続された第１分圧モジュール５と第２分圧モジュール６が、この変動に対応し、それぞれの第１電位ＶC03及び第２電位ＶC03Aも上がったり下がったりする。
【００２８】
また、蛍光ランプ２００がノーマルに作動して点灯するときは、第２電位ＶC03Aが第２制御素子Ｚ０１Ａの第２電位しきい値ＶZ01Aよりも低いので、第２切替素子Ｑ０３Ａには通電せず作動しないが、第１電位ＶC03が第１制御素子Ｚ０１の第１電位しきい値ＶZ01よりも高いので、第１制御素子Ｚ０１がなだれて、第１切替素子Ｑ０３と第１分圧モジュール５とを導通させる。これにより、第１切替素子Ｑ０３の制御端が第１電位ＶC03で駆動され、第１端と第２端とを導通させ、第１切替素子Ｑ３の第１端が接地する。そして、能動ユニット４２がトリガされて、電源電圧ＶＣＣが第１切替素子Ｑ０３を経て接地し、蓄電素子Ｃ０５の電圧がゼロになり、保護ユニット４１はトリガされず作動しない。以上により、蛍光ランプ２００は、点灯し続けることができる。
【００２９】
次に、蛍光ランプ２００にて整流効果が発生した時、以下に示すときは保護ユニット４１がトリガされて作動することができる。保護ユニット４１の作動により、点灯モジュール３を作動不能にし、蛍光ランプ２００の点灯を停止することができる。即ち、
一、 第１電位ＶC03が第１電位しきい値ＶZ01以下であると、第１制御素子Ｚ０１がなだれて、第１切替素子Ｑ０３と第１分圧モジュール５とを導通させることがなく、第１切替素子Ｑ０３は制御端により遮断される。即ち、第１切替素子Ｑ０３の第１端と第２端とは導通しないのである。これにより、負荷素子Ｒ０５を介して能動ユニット４２の電源電圧ＶＣＣにより、蓄電素子Ｃ０５を充電する。蓄電素子Ｃ０５の充電電位が第３制御素子Ｄ０１のトリガしきい値ＶD01以上になると、第３制御素子Ｄ０１がなだれて導通させ、蓄電素子Ｃ０５の電位によって保護ユニット４１がトリガされて作動する。以上により、点灯モジュール３を作動不能にし、蛍光ランプ２００の点灯を停止することができる。
【００３０】
二、 第１電位ＶC03が第１電位しきい値ＶZ01以上、且つ第２電位ＶC03Aが第２電位しきい値ＶZ01A以上であると、第１制御素子Ｚ０１がなだれて導通すると共に、第２制御素子Ｚ０１Ａもなだれて導通するので、第２切替素子Ｑ０３Ａの制御端が駆動されて第１端と第２端を導通させ、第１端が接地する。そこで、第２切替素子Ｑ０３Ａの第１端が第１切替素子Ｑ０３の制御端と第１制御素子Ｚ０１のアノードとの間に接続されているので、第１切替素子Ｑ０３の制御端が接地することで、第１切替素子Ｑ０３は通電せず遮断される。このようにして、電源電圧ＶＣＣにより蓄電素子Ｃ０５を充電する。蓄電素子Ｃ０５の電位がトリガしきい値ＶD01以上になり、第３制御素子Ｄ０１がなだれて導通し、保護ユニット４１をトリガして作動させる。従って、保護ユニット４１の作動により点灯モジュール３を作動不能にし、蛍光ランプ２００の点灯を停止することができる。
【００３１】
上述のように、本考案の電子安定器は、蛍光ランプ２００に整流効果が発生すると、保護ユニット４１がすぐ作動することができるので、点灯モジュール３の点灯をすぐ停止することができる。したがって、整流効果による高温での過熱損傷を避けることができ、電子安定器の焼損を低減させることができる。
【００３２】
次に、本考案にかかる電子安定器の開路保護設計について説明する。
【００３３】
ランプホルダーに取り付けられた蛍光ランプ２００が損耗して点灯できなくなるとき、又はランプホルダーに蛍光ランプをまだ取り付けていないときは、電子安定器のキャパシタＣ０２とインダクタンスＴ０１との間が開路状態になり、キャパシタＣ０２の電圧ＶC02がゼロになり、第１分圧モジュール５の第１電位ＶC03もゼロになるので、第１制御素子Ｚ０１がなだれて導通せず、第１切替素子Ｑ０３が通電せず遮断する。そのため、電源電圧ＶＣＣにより、蓄電素子Ｃ０５が続けて充電される。蓄電素子Ｃ０５の電位がトリガしきい値ＶD01以上になると、第３制御素子Ｄ０１がなだれて導通し、保護ユニット４１がトリガされる。このため、保護ユニット４１をトリガして作動させると、点灯モジュール３をオフさせることができるので、電子安定器を保護することができる。
【００３４】
この形態において、第１切替素子Ｑ０３及び第２切替素子Ｑ０３Ａは共に、ＢＪＴトランジスタを用いたが、これに限らず、ＭＯＳトランジスタでもよく、ｎｐｎ型或いはｐｎｐでもよい。第１制御素子Ｚ０１及び第２制御素子Ｚ０１Ａは、ツェナーダイオードを用いたが、これに限らず、二方向性ダイオードを用いても良い。
【００３５】
次に、能動ユニット４２の、保護ユニット４１をトリガすることを遅らせる機能について説明する。第１制御モジュール７は、電気サージによって干渉して作動するが、すぐに遮断するので、この干渉時間は、蓄電素子Ｃ０５が作動して第３制御素子Ｄ０１を導通させるために必要な充電時間よりも短い。従って、能動ユニット４２における蓄電素子Ｃ０５の充電電位がトリガしきい値ＶD01以上にならないので、保護ユニット４１が誤って作動することがない。これにより、本考案の電子安定器の作動安定性を高めることができる。
【００３６】
［第２の実施の形態］
図３は、蛍光ランプに用いられる本考案による第２の実施の形態にかかる電子安定器の回路図である。この形態の電子安定器においては、点灯モジュール３、第１分圧モジュール５及び第２分圧モジュール６の構成が、前記形態の構成と異なる。なお、図１に示す構成と同じ機能を有する部材については同一の符号を付記し、その詳細な説明を省略する。
【００３７】
点灯モジュール３は、インダクタンスＴ０１の一端が蛍光ランプ２００の一端に電気的に接続され、キャパシタＣ０２がインダクタンスＴ０１の他端及びトランジスタＱ０１の間に直列に接続されている。トランジスタＱ０２は直接蛍光ランプ２００の他端に電気的に接続されている。
【００３８】
第１分圧モジュール５と第２分圧モジュール６とは、キャパシタＣ０２及びインダクタンスＴ０１の間に電気的に接続されている。第１分圧モジュール５は、キャパシタＣ０３と負荷素子Ｒ０２との間にダイオードＤ０２が電気的に接続され、キャパシタＣ０３Ａと負荷素子Ｒ０２Ａとの間にダイオードＤ０２Ａが電気的に接続されている。ダイオードＤ０２のアノードが負荷素子Ｒ０１と負荷素子Ｒ０２との間に、カソードがキャパシタＣ０３に電気的に接続されている。第２分圧モジュール６は、ダイオードＤ０２Ａのアノードが負荷素子Ｒ０１Ａと負荷素子Ｒ０２Ａとの間に、カソードがキャパシタＣ０３Ａに電気的に接続されている。なお、この形態において、負荷素子は、抵抗器を用いる。
【００３９】
キャパシタＣ０２が第１と第２分圧モジュール５、６へ出力する電圧ＶC02が、交流電圧であるため、整流するためにダイオードＤ０２、Ｄ０２Ａを設けていることにより、第１分圧モジュール５と第２分圧モジュール６は、キャパシタＣ０２の出力電圧ＶC02を整流・分圧して、第１制御モジュール７と第２制御モジュール８に出力することができる。
【００４０】
電子安定器の両端が蛍光ランプ２００に電気的に接続されていないとき、開路状態になる。このとき、電子安定器が駆動されると、キャパシタＣ０２の電圧ＶC02が蛍光ランプ２００に電気的に接続されたときのノーマル点灯電圧よりも高いので、第２分圧モジュール６の出力分圧ＶC03Aが第２電位しきい値ＶZ01Aよりも高くなる。これにより、第１切替素子Ｑ０３の制御端が第２切替素子Ｑ０３Ａを介して接地する。したがって、電源電圧ＶＣＣにより、蓄電素子Ｃ０５を充電する。蓄電素子Ｃ０５の電圧で第３制御素子Ｄ０１が駆動され、保護ユニット４１がトリガされる。従って、点灯モジュール３の点灯を停止することができる。
【００４１】
以上により、本考案の電子安定器は、蛍光ランプ２００に整流効果が発生したとき、すぐ蛍光ランプ２００を点灯させないようにすることができるので、蛍光ランプ２００の整流効果による高温で電子安定器が損傷を受けることを回避することができる。即ち、ランプホルダーに蛍光ランプ２００を取り付けていないときに点灯しようとする場合、ランプホルダーの開路状態を検出することによって、すぐ通電せずに点灯を中止することができる。このため、高温による損傷、焼損を受けることを大幅に低減させることができ、電子安定器の使用安全性をより一層に高めることができ、また、耐用寿命を延ばすことができる。
【符号の説明】
【００４２】
２００    蛍光ランプ
３    点灯モジュール
４    保護モジュール
４１    保護ユニット
４２    能動ユニット
５    第１分圧モジュール
６    第２分圧モジュール
７    第１制御モジュール
８    第２制御モジュール
Ｃ０５    蓄電素子
Ｄ０１    第３制御素子
Ｑ０１、Ｑ０２    トランジスタ
Ｑ０３    第１切替素子
Ｑ０３Ａ    第２切替素子
Ｔ０１    インダクタンス
ＶＣＣ    電源電圧
Ｖｄｃ    外部電源
Ｚ０１    第１制御素子
Ｚ０１Ａ    第２制御素子
Ｃ０２、Ｃ０３、Ｃ０３Ａ    キャパシタ
ＩＣ０１    高周波ハーフブリッジチップ
Ｒ０１、Ｒ０２、Ｒ０５、Ｒ０１Ａ、Ｒ０２Ａ    負荷素子
【図１】
0003159650.tif 000003
【図２】
0003159650.tif 000004
【図３】
0003159650.tif 000005